(57)【特許請求の範囲】
【請求項１】
撥水性フィラメント糸から成る経パイル糸と、偏平な撥水性フィラメント束から成る経覆い糸と、撥水性フィラメント糸から成る緯芯糸と、撥水性フィラメント糸から成る緯地糸とをそれぞれ交錯せしめて地組織をウイルトン製織すると同時にループパイルを柄模様に形成し、前記ループパイルの中に前記緯芯糸を挿通せしめた人工芝生用敷物。
【請求項２】
前記パイルの長さを１．０ｍｍ〜５．０ｍｍとした請求項１に記載の人工芝生用敷物。
【請求項３】
前記地組織の裏面に塗装層または発泡体層を設けた請求項１または２に記載の人工芝生用敷物。
【発明の詳細な説明】
【０００１】
【発明の属する技術分野】
この発明は、特にゴルフ練習場の集球用人工芝生として有用な敷物に関する。
【０００２】
【従来の技術】
従来、ゴルフ練習場には、一年中美しいグリーン状態を維持すると共に、天然芝生の保全費（メンテナンス費）の節減を図るため人工芝生の敷物が普及し、さらに、斜面を利用して打出したゴルフボールを周縁の溝に集め、これを水流によって洗浄しながら回収する自動ボール回収設備の設置が進んでいる。
【０００３】
この設備に用いられる従来の敷物として、図５乃至図１１に示すようなものが知られている。図５及び図６に示す敷物Ｃは、粗い組織のフラットヤーン織物の裏地２１で補強された不織布からなる基布２２に、ポリプロピレン等のフィラメント糸２３を貫通させながら経鎖編目２４を編成し、裏面の塗装層２５でパイル糸を固定したものである。
【０００４】
図７及び図８に示す敷物Ｄは、ポリプロピレン等のフィラメント糸を用いダブル・ラッシェル編機によって地組織２６と立体的六角形状ラッシェル網目２７とを同時に編成したものである。
【０００５】
図９及び図１０に示す敷物Ｅは、基布２８に繊維ウエブをニードルパンチした不織布層２９からなり、裏面を樹脂フィルム層３０で補強したものである。
【０００６】
図１１に示す敷物Ｆは、ポリプロピレンのフラットフィラメント織物からなる基布３１に、経パイル糸３２をタフテッド・カーペットをつくるタフテッド機によってループパイル３３を形成し、裏面にラテックス層３４を施したものである。
【０００７】
ところが、敷物Ｃでは、基布２２が不織布であるため吸水しやすく長時間湿潤状態になり屋外であるため黒かびが発生し外観上見苦しく、経鎖編目２４はへたりが早く、かつ、基布２２がフラットヤーン織物で補強された薄地であるため、ゴルフボールの衝撃によって破損しやすい等の欠点がある。
【０００８】
敷物Ｄでは、全体が編目組織であって組織が粗く流水が裏面へ直ちに透水してしまうため、ボールの洗浄・回収に手間取り、また高額なダブル・ラッシェル編機を必要とし、かつ生産性が低いため高価なものとなる等の欠点がある。
【０００９】
敷物Ｅでは、全体が不織布構造であって吸水し長時間湿潤状態で、ボールが緑色に着色することがあり、さらに、黒かびが発生しやすい等の欠点がある。
【００１０】
敷物Ｆでは、基布３１が薄地であるため耐久性に乏しくボールの衝撃により破損しやすく、ループパイル３３がへたりやすく、かつ、ループ作成中表面に凹凸ができやすく表面のボールの転がりが悪くボール回収性能が低い等の欠点がある。
【００１１】
【発明が解決しようとする課題】
そこで、この発明の課題は、吸水性が少なくて黒かびが発生せず、パイルが所要の耐久性とクッション性とを備えると共に、長期にわたって平滑なパイル面が維持でき、地組織を適宜緻密にして流水が透水せず表面に流れ、ボールの洗浄・回収を能率よく行うことができる人工芝生用敷物を提供することである。
【００１２】
【課題を解決するための手段】
上記の課題を解決するために、この発明の人工芝生用敷物は、撥水性フィラメント糸から成る経パイル糸と、偏平な撥水性フィラメント束から成る経覆い糸と、撥水性フィラメント糸から成る緯芯糸と、撥水性フィラメント糸から成る緯地糸とをそれぞれ交錯せしめて地組織をウイルトン製織すると同時にループパイルを柄模様に形成し、前記ループパイル中に前記緯芯糸を挿通したのである。また、前記パイルの長さを、１．０ｍｍ〜５．０ｍｍとするのがよい。さらに、前記地組織の裏面に塗装層または発泡体層を設けることができる。
【００１３】
【作用】
この発明に係る人工芝生用敷物は、所要パイル長さのパイルが交錯した経・緯の地糸によって、しっかりと支持されて大きな耐久性を備え、全体が疎水性撥水性の特性をもつフィラメント糸からなる織物組織であるため吸水し湿潤状態になることもなく、かつ、地組織を緻密なものにできるため、水が透水しにくく、パイル表面に流水を誘導でき、ボールの洗浄・回収が能率よく行なえる。また、パイルの長さを１．０ｍｍ〜５．０ｍｍとし、かつループの中に補強用芯糸を挿入すると、クッション性が増し、パイル表面に凹凸がなく均等な平面が長期間維持できる。
【００１４】
【発明の実施の形態】
以下、この発明の実施形態を図１乃至図４に基づいて説明する。
【００１５】
図１及び図２に示すように、人工芝生用敷物Ａは、軽くて難燃性を備え、かつ安価なポリオレフィン系合成繊維即ちポリプロピレン繊維（Ｐ．Ｐ繊維）のモノフィラメントのかさ高加工糸からなる４本の経パイル糸１、１、１、１を一束にし、ウイルトン織機によって千鳥格子縞模様に経のループパイル２が製織されたものである。
【００１６】
地組織３は、ポリプロピレン繊維の偏平フィラメント束からなる経覆い糸４、４と、ポリプロピレン繊維の丸形フィラメント束からなる２本揃えた緯地糸５、５と、前記パイル糸１とから交錯製織されている。
【００１７】
さらに、前記ループパイル２には、その中にポリプロピレン繊維の丸形フィラメント糸からなる２本の補強用緯芯糸６が挿通されている。この緯芯糸６は、千鳥格子縞模様に配設されたループパイル２に、交互にジグザグ状に製織中織り込まれる。このため、ループパイル２は、加圧に対する変形防止や、各ループパイルの高さの均等化が図られてボールの円滑な転がりにより高能率のボール回収効果が期待できる。
【００１８】
また前記敷物Ａには、裏面に黒色の塗装層７が施されており、織目が適当に塞がれて透水性が制限され、パイル上面の流水性を良好にしてボールの洗浄・回収を高能率に行うことができるようにしてあり、また耐候性、耐久性を向上させている。
【００１９】
前記経パイル糸１は、１，０００デニール〜１０，０００デニールの範囲内のものを適宜用いる。
【００２０】
前記ループパイル２は、地組織３の上面からの高さ、即ちパイル長ｌを、０．５ｍｍ〜１０．０ｍｍの範囲、好ましくは１．０ｍｍ〜５．０ｍｍとする。このパイルは、用途やパイル糸の太さ及びパイルの密度等に対応してパイル長ｌを適宜選択することができる。なお、パイル長ｌは、ウイルトン織機においてパイル形成用ワイヤを調節することにより容易に変更可能である。
【００２１】
前記敷物Ａは、ループパイル２がフィラメントのかさ高加工糸から形成されているため、ふっくらとした触感があって高級感があり、かつ弾性を有しボールの衝撃力を吸収して無駄な飛散が防止でき、パイル糸及び地糸、芯糸等の各用糸が疎水性撥水性の特性をもつフィラメント糸から形成されているため、冠水しても長く湿潤状態になるようなことはなく、ボールに着色することもない。
【００２２】
また地組織３は、織り密度を適宜調節することによって、耐久強度や流水の透水度合等を選択することができる。
【００２３】
図３及び図４は、他の実施形態を示す。図示のように、敷物Ｂは、ポリプロピレン繊維のモノフィラメントのかさ高加工糸からなる２本の経パイル糸８、８と、ポリプロピレン繊維の偏平フィラメント束からなる経覆い糸９、９と、ループパイル１０の中へ挿通する丸形フィラメント糸からなる緯芯糸１１と、ポリプロピレン繊維の偏平フィラメント束からなる緯地糸１２とをそれぞれ交錯せしめ、ウイルトン織機によってループパイル１０がよこ縞模様に形成されると同時に、しっかりとした地組織１３が製織され、裏面に塗装層１４が施されたものである。
【００２４】
この敷物Ｂは、ループパイル１０が比較的小形でパイル密度の込んだものに適する。
【００２５】
なお、この発明に係る敷物は、素材としてポリプロピレン即ちポリオレフィン系繊維のほか、用途に対応して、ポリアミド系のもの、ポリエステル系のもの、ポリアクリル系のもの等を適宜選択することができ、パイル糸もフィラメントのかさ高加工糸に限定せずフィルム形フィラメント、マルチフィラメント、モノフィラメント等を適宜選択することができ、さらに太さも適宜なデニールのものを選択することができる。
【００２６】
またパイルの形状は、上述のような、ループパイルのほか、カットアンドループパイルや全面カットパイルとすることもでき、柄模様も千鳥格子縞模様、よこ縞模様、各種ストライブ柄模様、ドット柄模様等を適宜選択し、柄の凹凸も自由に表現できる。
【００２７】
前記パイルに、モノフィラメント糸やマルチフィラメント糸を用いた敷物では、パイル面が非常に滑らかなものとなり、ボールが転がりやすく集球用凹所が浅くてよい利点がある。
【００２８】
さらに、地組織の裏面には上述のように塗装層を施すほか、発泡体層を設けてクッション性と滑止め性とを付与することもできる。
【００２９】
この発明の敷物は、ゴルフ練習場の集球用のほか、ホテル、マンション等のベランダマット、通路マット、玄関マットや自動車用カーマット、各種競技場人工芝等従来人工芝生が用いられているところに使用することができる。
【００３０】
【発明の効果】
この発明によれば、以上のように、ウイルトン織機によってパイル糸と地糸とを交錯製織しパイルと地組織とを同時につくるものであって、全体が疎水性撥水性特性をもつフィラメント糸からなり、かつ織物組織であるため吸水し長時間湿潤状態になるようなことがなく黒かび等が発生せず、また、透水性の少ない地組織によってパイル表面に流水が誘導できるためボールの洗浄・回収が能率よく実施可能となる。
【００３１】
さらに、パイル長を選択すると共に芯糸を挿通すると、クッション性が増加してボールの無駄な飛散を防止でき、耐圧強度が増し、パイル面の平坦性が良好で均等な平面状態が長期間にわたって維持できボールの洗浄・回収がさらに効率的なものとなる。
【図面の簡単な説明】
【図１】この発明の敷物の一例を示す平面図
【図２】同上の組織を示す拡大断面図
【図３】この発明の他の例を示す平面図
【図４】同上の組織を示す拡大断面図
【図５】第１従来例を示す平面図
【図６】同上の組織を示す拡大断面図
【図７】第２従来例を示す平面図
【図８】同上の組織を示す拡大断面図
【図９】第３従来例を示す平面図
【図１０】同上の組織を示す拡大断面図
【図１１】第４従来例の組織を示す拡大断面図
【符号の説明】
Ａ、Ｂ、Ｃ、Ｄ、Ｅ、Ｆ  敷物
ｌ  パイル長
１、８、３２  経パイル糸
２、１０、３３  ループパイル
３、１３、２６  地組織
４、９  経覆い糸
５、１２  緯地糸
６、１１  緯芯糸
７、１４、２５  塗装層
２１  裏地
２２、２８、３１  基布
２３  フィラメント糸
２４  経鎖編目
２７  ラッシェル網目
２９  不織布層
３０  樹脂フィルム層
３４  ラテックス層
【図１】
0004780852.tif 000002
【図２】
0004780852.tif 000003
【図３】
0004780852.tif 000004
【図４】
0004780852.tif 000005
【図５】
0004780852.tif 000006
【図６】
0004780852.tif 000007
【図７】
0004780852.tif 000008
【図８】
0004780852.tif 000009
【図９】
0004780852.tif 000010
【図１０】
0004780852.tif 000011
【図１１】
0004780852.tif 000012